(57)【要約】【課題】災害が発生した場合におけるネットワークからの情報取得を支援することが可能な無線通信システム、情報配信装置および通信制御方法を提供する。【解決手段】無線通信システム３０１は、１または複数の無線端末装置２０２と通信可能な管理装置１０１と、管理装置１０１に接続され、災害発生時の行動に関する行動情報を記憶する記憶装置１５１とを備え、管理装置１０１は、災害発生を示す災害情報を受信して、記憶装置１５１から行動情報を取得し、取得した行動情報を各無線端末装置２０２に報知する。【選択図】図２
2014192887.tif 000002
【特許請求の範囲】
【請求項１】
１または複数の無線端末装置と通信可能な管理装置と、
前記管理装置に接続され、災害発生時の行動に関する行動情報を記憶する記憶装置とを備え、
前記管理装置は、災害発生を示す災害情報を受信して、前記記憶装置から前記行動情報を取得し、取得した前記行動情報を各前記無線端末装置に報知する、無線通信システム。
【請求項２】
前記管理装置は、前記記憶装置に記憶された前記行動情報のうちの一部または全部を選択し、選択した行動情報を前記各無線端末装置に報知する、請求項１に記載の無線通信システム。
【請求項３】
前記管理装置は、前記災害情報を受信してからの経過時間に応じた前記行動情報を選択する、請求項２に記載の無線通信システム。
【請求項４】
前記管理装置は、自己を介した他の装置へのアクセスを制限可能であり、
前記管理装置は、前記行動情報を報知した後、前記アクセスの制限を緩和する、請求項１から請求項３のいずれか１項に記載の無線通信システム。
【請求項５】
管理装置と、
前記管理装置に接続され、災害発生時の行動に関する行動情報を記憶するネットワーク側記憶装置と、
前記管理装置とネットワークを介して接続され、１または複数の無線端末装置および前記管理装置間の通信を中継するゲートウェイ装置と、
前記ゲートウェイ装置に接続され、災害発生時の行動に関する行動情報を記憶するローカル記憶装置とを備え、
前記ゲートウェイ装置は、災害発生を示す災害情報を受信して、前記ローカル記憶装置から前記行動情報を取得し、取得した前記行動情報を各前記無線端末装置に報知する、無線通信システム。
【請求項６】
前記無線端末装置は、前記ゲートウェイ装置に前記行動情報の提供を要求し、
前記ゲートウェイ装置は、前記ローカル記憶装置から前記行動情報を取得して前記無線端末装置へ送信するか、または前記無線端末装置の要求内容を前記管理装置に通知し、
前記管理装置は、前記ゲートウェイ装置から通知された前記要求内容に対応する前記行動情報を前記ネットワーク側記憶装置から取得し、取得した前記行動情報を前記ゲートウェイ装置へ送信し、
前記ゲートウェイ装置は、前記管理装置から受信した前記行動情報を前記無線端末装置へ送信する、請求項５に記載の無線通信システム。
【請求項７】
１または複数の無線端末装置と通信可能な情報配信装置であって、
災害発生を示す災害情報を受信して、災害発生時の行動に関する行動情報を記憶する記憶装置から前記行動情報を取得する行動情報取得部と、
前記行動情報取得部によって取得された前記行動情報を各前記無線端末装置に報知する行動情報配信部とを備える、情報配信装置。
【請求項８】
１または複数の無線端末装置と通信可能な情報配信装置における通信制御方法であって、
災害発生を示す災害情報を受信して、災害発生時の行動に関する行動情報を記憶する記憶装置から前記行動情報を取得するステップと、
取得した前記行動情報を各前記無線端末装置に報知するステップとを含む、通信制御方法。
【発明の詳細な説明】
【技術分野】
【０００１】
本発明は、無線通信システム、情報配信装置および通信制御方法に関し、特に、災害に関する情報を配信する無線通信システム、情報配信装置および通信制御方法に関する。
【背景技術】
【０００２】
移動通信システムでは、無線端末装置が通信可能なエリアであるセル、を形成する無線基地局装置による通信サービスが提供されている。
【０００３】
また、このような通信サービス等を利用したシステムとして、Ｍ２Ｍ（Machine to Machine）システムが知られている。Ｍ２Ｍシステムでは、無線機を搭載した機器同士が人間を介在せずに相互に情報をやり取りすることにより、自動販売機に内蔵されている商品の在庫状況が自動的にサーバ等に報告される等、自動的に機器の制御が行われる。
【０００４】
Ｍ２Ｍシステムの一例として、たとえば、特許文献１（特許第４２３７１３４号公報）には、以下のような技術が開示されている。すなわち、無線端末と、当該無線端末との無線通信が可能なゲートウェイノードと、無線端末の位置情報を保持する位置情報記憶装置とを有する移動体通信ネットワークと、上記無線端末からのメッセージ送信先である端末が接続される他のネットワークとがゲートウェイを介して接続されてなるネットワークシステムである。当該ネットワークシステムは、上記無線端末ごとに予め定めた送信先である上記端末のアドレスを保持する端末アドレス保持手段を有する。上記無線端末から上記端末へメッセージを送信する際には、上記ゲートウェイノードは、上記無線端末より無線フレームを受信すると、上記端末アドレス保持手段にアクセスして、無線端末ごとにメッセージの送信先の端末アドレスを特定し、当該特定した送信先の端末宛に上記ゲートウェイを介してメッセージを送信する。上記端末より上記無線端末へメッセージを送信する際には、上記ゲートウェイは、上記位置情報記憶装置にアクセスし、上記無線端末のＩＤから位置情報を取得し、当該取得した位置情報から該当するゲートウェイノードへメッセージを転送する。当該ゲートウェイノードは、上記無線端末へ上記メッセージを転送する。
【先行技術文献】
【特許文献】
【０００５】
【特許文献１】特許第４２３７１３４号公報
【発明の概要】
【発明が解決しようとする課題】
【０００６】
このようなＭ２Ｍシステム等の通信システムを利用するユーザは、地震等の災害が発生した場合、各種情報を取得するために、たとえば所有する無線端末装置を用いてネットワークに接続しようとする。
【０００７】
しかしながら、このような災害時には、多数のユーザが一斉にネットワークに接続して情報を取得しようとするため、ネットワークにおいて輻輳が発生し、ネットワークに接続することが困難となり、情報の取得が円滑に行えなくなってしまう。
【０００８】
この発明は、上述の課題を解決するためになされたもので、その目的は、災害が発生した場合におけるネットワークからの情報取得を支援することが可能な無線通信システム、情報配信装置および通信制御方法を提供することである。
【課題を解決するための手段】
【０００９】
（１）上記課題を解決するために、この発明のある局面に係わる無線通信システムは、１または複数の無線端末装置と通信可能な管理装置と、前記管理装置に接続され、災害発生時の行動に関する行動情報を記憶する記憶装置とを備え、前記管理装置は、災害発生を示す災害情報を受信して、前記記憶装置から前記行動情報を取得し、取得した前記行動情報を各前記無線端末装置に報知する。
【００１０】
（５）またこの発明の別の局面に係わる無線通信システムは、管理装置と、前記管理装置に接続され、災害発生時の行動に関する行動情報を記憶するネットワーク側記憶装置と、前記管理装置とネットワークを介して接続され、１または複数の無線端末装置および前記管理装置間の通信を中継するゲートウェイ装置と、前記ゲートウェイ装置に接続されるローカル記憶装置とを備え、前記ローカル記憶装置は、前記ネットワーク側記憶装置の記憶する前記行動情報の一部または全部を記憶し、前記ゲートウェイ装置は、災害発生を示す災害情報を受信して、前記ローカル記憶装置から前記行動情報を取得し、取得した前記行動情報を各前記無線端末装置に報知する。
【００１１】
（７）上記課題を解決するために、この発明のある局面に係わる情報配信装置は、１または複数の無線端末装置と通信可能な情報配信装置であって、災害発生を示す災害情報を受信して、災害発生時の行動に関する行動情報を記憶する記憶装置から前記行動情報を取得する行動情報取得部と、前記行動情報取得部によって取得された前記行動情報を各前記無線端末装置に報知する行動情報配信部とを備える。
【００１２】
（８）上記課題を解決するために、この発明のある局面に係わる通信制御方法は、１または複数の無線端末装置と通信可能な情報配信装置における通信制御方法であって、災害発生を示す災害情報を受信して、災害発生時の行動に関する行動情報を記憶する記憶装置から前記行動情報を取得するステップと、取得した前記行動情報を各前記無線端末装置に報知するステップとを含む。
【発明の効果】
【００１３】
本発明によれば、災害が発生した場合におけるネットワークからの情報取得を支援することができる。
【図面の簡単な説明】
【００１４】
【図１】図１は、本発明の第１の実施の形態に係る無線通信システムの構成を示す図である。
【図２】図２は、本発明の第１の実施の形態に係る無線通信システムによる行動情報の配信を示す図である。
【図３】図３は、本発明の第１の実施の形態に係る無線通信システムの平時における利用形態の一例を示す図である。
【図４】図４は、本発明の第１の実施の形態に係る無線通信システムにおける、無線端末装置による情報取得を示す図である。
【図５】図５は、本発明の第１の実施の形態に係る無線通信システムにおける管理装置の構成を示す図である。
【図６】図６は、本発明の第１の実施の形態に係る管理装置が情報配信を行なう際の動作手順を定めたフローチャートである。
【図７】図７は、本発明の第１の実施の形態に係る無線通信システムにおける情報配信のシーケンスの一例を示す図である。
【図８】図８は、本発明の第２の実施の形態に係る無線通信システムの構成を示す図である。
【図９】図９は、本発明の第２の実施の形態に係る無線通信システムにおけるゲートウェイ装置の構成を示す図である。
【図１０】図１０は、本発明の第２の実施の形態に係る管理装置が情報配信を行なう際の動作手順を定めたフローチャートである。
【図１１】図１１は、本発明の第２の実施の形態に係る無線通信システムにおける情報配信のシーケンスの一例を示す図である。
【発明を実施するための形態】
【００１５】
最初に、本発明の実施形態の内容を列記して説明する。
【００１６】
（１）上記課題を解決するために、この発明のある局面に係わる無線通信システムは、１または複数の無線端末装置と通信可能な管理装置と、前記管理装置に接続され、災害発生時の行動に関する行動情報を記憶する記憶装置とを備え、前記管理装置は、災害発生を示す災害情報を受信して、前記記憶装置から前記行動情報を取得し、取得した前記行動情報を各前記無線端末装置に報知する。
【００１７】
このように、災害発生前から行動情報を記憶装置に予め保存しておき、災害発生時、記憶装置に記憶された行動情報を無線端末装置に報知する構成により、各ユーザがネットワークに接続して情報を取得するより先に、各ユーザに情報を配信することができる。これにより、ユーザがネットワークから情報を取得する行動を抑制し、多数のユーザが一斉にネットワークに接続して情報を取得することを未然に防ぐことができる。すなわち、災害発生直後のネットワークの輻輳を抑制しながら、各ユーザが、災害発生時において適切な情報を取得することができ、災害発生時における情報伝達性能の高い無線通信システムを提供することができる。また、行動情報は、災害自体の情報を含んでもよいが、災害自体の情報だけでなく、災害発生時における行動指針が得られるような情報である。これにより、災害発生時においてユーザに対してより有用な情報を提供することが可能となる。したがって、災害が発生した場合におけるネットワークからの情報取得を支援することができる。
【００１８】
（２）好ましくは、前記管理装置は、前記記憶装置に記憶された前記行動情報のうちの一部または全部を選択し、選択した行動情報を前記各無線端末装置に報知する。
【００１９】
このような構成により、記憶装置に記憶された行動情報の中から、適切な情報を選択して配信することができる。
【００２０】
（３）より好ましくは、前記管理装置は、前記災害情報を受信してからの経過時間に応じた前記行動情報を選択する。
【００２１】
このような構成により、時間の経過とともに変わる情報要求の内容に対して柔軟に対応した情報配信を実現することができる。
【００２２】
（４）好ましくは、前記管理装置は、自己を介した他の装置へのアクセスを制限可能であり、前記管理装置は、前記行動情報を報知した後、前記アクセスの制限を緩和する。
【００２３】
このような構成により、災害発生直後のネットワークの輻輳を抑制しながら、ユーザの情報取得の利便性を高めることができる。
【００２４】
（５）またこの発明の別の局面に係わる無線通信システムは、管理装置と、前記管理装置に接続され、災害発生時の行動に関する行動情報を記憶するネットワーク側記憶装置と、前記管理装置とネットワークを介して接続され、１または複数の無線端末装置および前記管理装置間の通信を中継するゲートウェイ装置と、前記ゲートウェイ装置に接続されるローカル記憶装置とを備え、前記ローカル記憶装置は、前記ネットワーク側記憶装置の記憶する前記行動情報の一部または全部を記憶し、前記ゲートウェイ装置は、災害発生を示す災害情報を受信して、前記ローカル記憶装置から前記行動情報を取得し、取得した前記行動情報を各前記無線端末装置に報知する。
【００２５】
このように、災害発生前から行動情報をローカル記憶装置に予め保存しておき、災害発生時、ローカル記憶装置に記憶された行動情報を無線端末装置に報知する構成により、各ユーザがネットワークに接続して情報を取得するより先に、各ユーザに情報を配信することができる。これにより、ユーザがネットワークから情報を取得する行動を抑制し、多数のユーザが一斉にネットワークに接続して情報を取得することを未然に防ぐことができる。すなわち、災害発生直後のネットワークの輻輳を抑制しながら、各ユーザが、災害発生時において適切な情報を取得することができ、災害発生時における情報伝達性能の高い無線通信システムを提供することができる。また、行動情報は、災害自体の情報を含んでもよいが、災害自体の情報だけでなく、災害発生時における行動指針が得られるような情報である。これにより、災害発生時においてユーザに対してより有用な情報を提供することが可能となる。
【００２６】
また、ローカル側すなわちネットワークの手前に設けられたゲートウェイ装置から無線端末装置への情報配信を行なう構成により、災害発生直後における無線端末装置によるネットワークへのアクセスをさらに抑制することができる。また、災害発生によりネットワーク等において通信障害が発生した場合でも、ユーザに必要な情報を配信することができる。これにより、災害発生直後のネットワークの輻輳をさらに抑制しながら、各ユーザが、災害において適切な情報をより確実に取得することができ、災害発生時における情報伝達性能のより高い無線通信システムを提供することができる。
【００２７】
（６）好ましくは、前記無線端末装置は、前記ゲートウェイ装置に前記行動情報の提供を要求し、前記ゲートウェイ装置は、前記ローカル記憶装置から前記行動情報を取得して前記無線端末装置へ送信するか、または前記無線端末装置の要求内容を前記管理装置に通知し、前記管理装置は、前記ゲートウェイ装置から通知された前記要求内容に対応する前記行動情報を前記ネットワーク側記憶装置から取得し、取得した前記行動情報を前記ゲートウェイ装置へ送信し、前記ゲートウェイ装置は、前記管理装置から受信した前記行動情報を前記無線端末装置へ送信する。
【００２８】
このような構成により、無線端末装置の要求する情報がローカルデータベースに保存されていない場合、またはローカルデータベースに保存されている情報が古い場合でも、無線端末装置に適切な情報を配信することができる。
【００２９】
（７）上記課題を解決するために、この発明のある局面に係わる情報配信装置は、１または複数の無線端末装置と通信可能な情報配信装置であって、災害発生を示す災害情報を受信して、災害発生時の行動に関する行動情報を記憶する記憶装置から前記行動情報を取得する行動情報取得部と、前記行動情報取得部によって取得された前記行動情報を各前記無線端末装置に報知する行動情報配信部とを備える。
【００３０】
このように、災害発生前から行動情報を記憶装置に予め保存しておき、災害発生時、記憶装置に記憶された行動情報を無線端末装置に報知する構成により、各ユーザがネットワークに接続して情報を取得するより先に、各ユーザに情報を配信することができる。これにより、ユーザがネットワークから情報を取得する行動を抑制し、多数のユーザが一斉にネットワークに接続して情報を取得することを未然に防ぐことができる。すなわち、災害発生直後のネットワークの輻輳を抑制しながら、各ユーザが、災害発生時において適切な情報を取得することができ、災害発生時における情報伝達性能の高い無線通信システムを提供することができる。また、行動情報は、災害自体の情報を含んでもよいが、災害自体の情報だけでなく、災害発生時における行動指針が得られるような情報である。これにより、災害発生時においてユーザに対してより有用な情報を提供することが可能となる。したがって、災害が発生した場合におけるネットワークからの情報取得を支援することができる。
【００３１】
（８）上記課題を解決するために、この発明のある局面に係わる通信制御方法は、１または複数の無線端末装置と通信可能な情報配信装置における通信制御方法であって、災害発生を示す災害情報を受信して、災害発生時の行動に関する行動情報を記憶する記憶装置から前記行動情報を取得するステップと、取得した前記行動情報を各前記無線端末装置に報知するステップとを含む。
【００３２】
このように、災害発生前から行動情報を記憶装置に予め保存しておき、災害発生時、記憶装置に記憶された行動情報を無線端末装置に報知する構成により、各ユーザがネットワークに接続して情報を取得するより先に、各ユーザに情報を配信することができる。これにより、ユーザがネットワークから情報を取得する行動を抑制し、多数のユーザが一斉にネットワークに接続して情報を取得することを未然に防ぐことができる。すなわち、災害発生直後のネットワークの輻輳を抑制しながら、各ユーザが、災害発生時において適切な情報を取得することができ、災害発生時における情報伝達性能の高い無線通信システムを提供することができる。また、行動情報は、災害自体の情報を含んでもよいが、災害自体の情報だけでなく、災害発生時における行動指針が得られるような情報である。これにより、災害発生時においてユーザに対してより有用な情報を提供することが可能となる。したがって、災害が発生した場合におけるネットワークからの情報取得を支援することができる。
【００３３】
以下、本発明の実施の形態について図面を用いて説明する。なお、図中同一または相当部分には同一符号を付してその説明は繰り返さない。
【００３４】
＜第１の実施の形態＞
［構成および基本動作］
図１は、本発明の第１の実施の形態に係る無線通信システムの構成を示す図である。
【００３５】
図１を参照して、無線通信システム３０１は、管理装置（情報配信装置）１０１と、記憶装置１５１とを備える。なお、管理装置１０１は、記憶装置１５１を含む構成であってもよい。また、無線通信システム３０１は、管理装置１０１を複数備えてもよいし、記憶装置１５１を複数備えてもよい。
【００３６】
管理装置１０１は、ネットワーク２５１を介して複数の無線端末装置２０２および１または複数のセンサ１６１と通信可能である。
【００３７】
ネットワーク２５１は、たとえば、３ＧＰＰ(Third Generation Partnership Project)で規格化されたＬＴＥ（Long Term Evolution）に従う移動体無線通信システム、またはＩＥＥＥ８０２．１１で規格化された無線ＬＡＮシステムを含む。
【００３８】
無線端末装置２０２は、ネットワーク２５１における図示しない無線基地局装置等の通信装置と無線信号を送受信することにより、ネットワーク２５１を介して管理装置１０１等の他の装置と通信可能である。
【００３９】
センサ１６１は、ネットワーク２５１における通信装置と有線通信または無線通信を行なうことにより、ネットワーク２５１を介して管理装置１０１等の他の装置と通信可能である。
【００４０】
なお、無線通信システム３０１は、センサ１６１に加えて、あるいはセンサ１６１の代わりに、何らかの情報を提供する装置を備える構成であってもよい。
【００４１】
記憶装置１５１は、管理装置１０１に接続されている。記憶装置１５１は、災害発生時の行動に関する行動情報のデータベースを記憶する。
【００４２】
この行動情報は、無線端末装置２０２のユーザ本人の行動の指針となるもの、または医者等の他人の行動の指針となるものを含む。また、この行動情報は、災害発生の有無に関わらず、定期的または不定期に更新される。
【００４３】
具体的には、たとえば、管理装置１０１および記憶装置１５１は、市町村等のエリア単位で設けられており、記憶装置１５１は、避難所の情報等のハザードマップ、交通情報、被災状況および避難指示等の情報を記憶する。たとえば、ハザードマップは、平時に自治体が更新する。また、記憶装置１５１は、ウェブサイトの情報をデータ解析することで得られる情報を記憶してもよい。
【００４４】
また、記憶装置１５１は、災害発生前の情報を記憶してもよいし、災害発生後に各種情報を記憶してもよい。具体的には、たとえば、交通情報、近隣の病院および避難所等の位置情報、カルテ等の医療情報、天気予報および安否情報を記憶装置１５１に保存することが可能である。また、たとえば、災害発生からある程度の時間が経過した状態において、ツイッター（登録商標）およびフェイスブック（登録商標）等の情報をデータ解析することで得られる交通情報等を記憶装置１５１に保存することも可能である。
【００４５】
記憶装置１５１に保存する情報は、エリアごとに異なるものとすることが可能である。たとえば、災害発生からある程度の時間が経過した状態において、被災中心エリアでは、食料、電気およびガスなどの情報が保存される。また、被災中心からある程度離れたエリアでは、交通情報および近隣マップ等の情報が保存される。
【００４６】
図２は、本発明の第１の実施の形態に係る無線通信システムによる行動情報の配信を示す図である。
【００４７】
図２を参照して、管理装置１０１は、災害発生を示す災害情報を受信して、記憶装置１５１から行動情報を取得し、取得した行動情報をネットワーク２５１経由で各無線端末装置２０２に報知する。
【００４８】
災害情報は、センサおよび地震の計測器等からの情報であってもよいし、災害情報をオペレータが手動で管理装置１０１に通知してもよい。
【００４９】
たとえば、管理装置１０１は、ＬＴＥ等の移動体通信システムにおける無線端末装置２０２の位置情報、またはＧＰＳを利用した無線端末装置２０２の位置情報により、無線端末装置２０２の存在するエリアごとに異なる行動情報を配信することが可能である。
【００５０】
また、管理装置１０１は、災害発生時におけるネットワークの輻輳を防ぐ観点から、行動情報の報知を少数回、たとえば１回または２回程度行なうことが好ましい。
【００５１】
図３は、本発明の第１の実施の形態に係る無線通信システムの平時における利用形態の一例を示す図である。
【００５２】
図３を参照して、センサ１６１は、電力使用量およびガス使用量等を測定し、測定結果を示すセンサ情報をネットワーク２５１経由で管理装置１０１へ送信する。
【００５３】
管理装置１０１は、センサ１６１から受信したセンサ情報を記憶装置１５１に保存する。
【００５４】
記憶装置１５１に保存されたセンサ情報は、公共サービスのデータ収集および分析等に利用される。
【００５５】
このように、平時において公共サービスのデータ収集を行なう構成により、記憶装置１５１を有効利用することができ、システムの汎用性を高めることができる。
【００５６】
図４は、本発明の第１の実施の形態に係る無線通信システムにおける、無線端末装置による情報取得を示す図である。
【００５７】
図４を参照して、管理装置１０１は、平時と災害発生時とで、記憶装置１５１のデータベースへのアクセス制御すなわちアクセスポリシーを変更する。
【００５８】
たとえば、管理装置１０１は、平時には無線端末装置２０２による記憶装置１５１のデータベースへのアクセスを禁止し、災害発生時には無線端末装置２０２によるデータベースへのアクセスを許可する。
【００５９】
また、たとえば、管理装置１０１は、災害発生直後には無線端末装置２０２によるデータベースへのアクセスを禁止することによりネットワークにおける輻輳を抑制し、災害発生からある程度の時間が経過すると、無線端末装置２０２によるデータベースへのアクセスを許可する。
【００６０】
なお、アクセス許可の対象は、行動情報のデータベースであってもよいし、他の情報のデータベースであってもよい。
【００６１】
このように、管理装置１０１は、災害発生後、プッシュ型情報配信からプル型情報配信への切り替えを行なう。
【００６２】
これにより、ユーザは、災害発生後、たとえば、今後の生活に必要となる電気、ガスおよび食料等の情報を主体的に得ることができる。
【００６３】
また、管理装置１０１は、記憶装置１５１のデータベースへのアクセスではなく、自己を介した他の装置へのアクセスを制限することも可能である。
【００６４】
図５は、本発明の第１の実施の形態に係る無線通信システムにおける管理装置の構成を示す図である。
【００６５】
図５を参照して、管理装置１０１は、行動情報取得部１１と、行動情報配信部１２と、アクセス制御部１３とを含む。
【００６６】
行動情報取得部１１は、災害発生を示す災害情報を受信して、記憶装置１５１から行動情報を取得する。
【００６７】
たとえば、行動情報取得部１１は、記憶装置１５１に記憶された行動情報のうちの一部または全部を選択して取得する。具体的には、行動情報取得部１１は、災害情報を受信してからの経過時間に応じた行動情報を選択する。
【００６８】
行動情報配信部１２は、行動情報取得部１１によって取得された行動情報を各無線端末装置２０２に報知する。
【００６９】
アクセス制御部１３は、無線端末装置２０２からの自己を介した他の装置へのアクセス、たとえば記憶装置１５１へのアクセスを制限可能である。アクセス制御部１３は、行動情報配信部１２によって行動情報が報知された後、当該アクセスの制限を緩和する。
【００７０】
［動作］
次に、本発明の第１の実施の形態に係る無線通信システムによる情報配信について図面を用いて説明する。
【００７１】
無線通信システム３０１における各装置は、以下のフローチャートおよびシーケンスの各ステップを含むプログラムを図示しないメモリから読み出して実行する。このプログラムは、外部からインストールすることができる。
【００７２】
図６は、本発明の第１の実施の形態に係る管理装置が情報配信を行なう際の動作手順を定めたフローチャートである。
【００７３】
図６を参照して、まず、管理装置１０１は、災害情報を受信すると（ステップＳ１でＹＥＳ）、記憶装置１５１のデータベースから配信情報Ａを選択して取得する。配信情報Ａは、避難所の情報等、災害発生直後において必要性の高い行動情報である（ステップＳ２）。
【００７４】
次に、管理装置１０１は、取得した配信情報Ａを無線端末装置２０２へブロードキャストする（ステップＳ３）。
【００７５】
次に、管理装置１０１は、所定時間が経過すると（ステップＳ４でＹＥＳ）、記憶装置１５１のデータベースから配信情報Ｂを選択して取得する。配信情報Ｂは、交通情報および天気予報等、災害発生後しばらくしてから必要性の高くなる行動情報である（ステップＳ５）。
【００７６】
次に、管理装置１０１は、取得した配信情報Ｂを無線端末装置２０２へブロードキャストする（ステップＳ６）。
【００７７】
次に、管理装置１０１は、配信情報Ｂをブロードキャストした後、無線端末装置２０２による記憶装置１５１のデータベースまたは自己を介した他の装置へのアクセスの制限を緩和または解除する（ステップＳ７）。
【００７８】
なお、管理装置１０１は、配信情報をブロードキャストする構成に限らず、マルチキャストする構成であってもよい。
【００７９】
また、管理装置１０１は、データベースの一部の情報に限らず、全部の情報を配信情報としてブロードキャストする構成であってもよい。
【００８０】
図７は、本発明の第１の実施の形態に係る無線通信システムにおける情報配信のシーケンスの一例を示す図である。
【００８１】
図７を参照して、まず、図示しない災害検知装置は、災害発生を検知すると（ステップＳ１１）、災害情報を管理装置１０１へ送信する（ステップＳ１２）。
【００８２】
次に、管理装置１０１は、災害検知装置から災害情報を受信して、配信情報Ａを無線端末装置２０２へブロードキャストする（ステップＳ１３）。
【００８３】
次に、管理装置１０１は、所定時間が経過すると、配信情報Ｂを無線端末装置２０２へブロードキャストする（ステップＳ１４）。
【００８４】
また、センサ１６１は、たとえば新たな測定結果が得られたことにより、センサ情報を管理装置１０１へ送信する（ステップＳ１５）。
【００８５】
次に、管理装置１０１は、センサ１６１から新たなセンサ情報を受信して、当該センサ情報の内容に基づいて配信情報Ｃを作成し、無線端末装置２０２へブロードキャストする（ステップＳ１６）。
【００８６】
次に、無線端末装置２０２は、ある情報の配信を要求する旨を示す情報要求を管理装置１０１へ送信する（ステップＳ１７）。
【００８７】
次に、管理装置１０１は、無線端末装置２０２からのアクセスを許可している場合、無線端末装置２０２から受信した情報要求に基づいて配信情報Ｄを作成し、当該無線端末装置２０２へユニキャストする（ステップＳ１８）。
【００８８】
ところで、Ｍ２Ｍシステム等の通信システムを利用するユーザは、地震等の災害が発生した場合、各種情報を取得するために、たとえば所有する無線端末装置を用いてネットワークに接続しようとする。しかしながら、このような災害時には、多数のユーザが一斉にネットワークに接続して情報を取得しようとするため、ネットワークにおいて輻輳が発生し、ネットワークに接続することが困難となり、情報の取得が円滑に行えなくなってしまう。
【００８９】
これに対して、本発明の第１の実施の形態に係る無線通信システムでは、記憶装置１５１は、管理装置１０１に接続され、災害発生時の行動に関する行動情報を記憶する。そして、管理装置１０１は、災害発生を示す災害情報を受信して、記憶装置１５１から行動情報を取得し、取得した行動情報を各無線端末装置２０２に報知する。より詳細には、本発明の第１の実施の形態に係る管理装置では、行動情報取得部１１は、災害発生を示す災害情報を受信して、災害発生時の行動に関する行動情報を記憶する記憶装置１５１から行動情報を取得する。そして、行動情報配信部１２は、行動情報取得部１１によって取得された行動情報を各無線端末装置２０２に報知する。
【００９０】
このように、災害発生前から行動情報を記憶装置１５１に予め保存しておき、災害発生時、記憶装置１５１に記憶された行動情報を無線端末装置２０２に報知する構成により、各ユーザがネットワークに接続して情報を取得するより先に、各ユーザに情報を配信することができる。
【００９１】
これにより、ユーザがネットワークから情報を取得する行動を抑制し、多数のユーザが一斉にネットワークに接続して情報を取得することを未然に防ぐことができる。すなわち、災害発生直後のネットワークの輻輳を抑制しながら、各ユーザが、災害発生時において適切な情報を取得することができ、災害発生時における情報伝達性能の高い無線通信システムを提供することができる。
【００９２】
また、行動情報は、災害自体の情報を含んでもよいが、災害自体の情報だけでなく、災害発生時における行動指針が得られるような情報である。これにより、災害発生時においてユーザに対してより有用な情報を提供することが可能となる。
【００９３】
したがって、本発明の第１の実施の形態に係る無線通信システムおよび管理装置では、災害が発生した場合におけるネットワークからの情報取得を支援することができる。
【００９４】
また、本発明の第１の実施の形態に係る無線通信システムでは、管理装置１０１は、記憶装置１５１に記憶された行動情報のうちの一部または全部を選択し、選択した行動情報を各無線端末装置２０２に報知する。より詳細には、本発明の第１の実施の形態に係る管理装置では、行動情報取得部１１は、記憶装置１５１に記憶された行動情報のうちの一部または全部を選択して取得する。
【００９５】
このような構成により、記憶装置１５１に記憶された行動情報の中から、適切な情報を選択して配信することができる。
【００９６】
また、本発明の第１の実施の形態に係る無線通信システムでは、管理装置１０１は、災害情報を受信してからの経過時間に応じた行動情報を選択する。より詳細には、本発明の第１の実施の形態に係る管理装置では、行動情報取得部１１は、災害情報を受信してからの経過時間に応じた行動情報を選択する。
【００９７】
このような構成により、時間の経過とともに変わる情報要求の内容に対して柔軟に対応した情報配信を実現することができる。
【００９８】
また、本発明の第１の実施の形態に係る無線通信システムでは、管理装置１０１は、自己を介した他の装置へのアクセスを制限可能である。管理装置１０１は、行動情報を報知した後、当該アクセスの制限を緩和する。より詳細には、本発明の第１の実施の形態に係る管理装置では、アクセス制御部１３は、無線端末装置２０２からの自己を介した他の装置へのアクセスを制限可能である。そして、アクセス制御部１３は、行動情報配信部１２によって行動情報が報知された後、当該アクセスの制限を緩和する。
【００９９】
このような構成により、災害発生直後のネットワーク２５１の輻輳を抑制しながら、ユーザの情報取得の利便性を高めることができる。
【０１００】
次に、本発明の他の実施の形態について図面を用いて説明する。なお、図中同一または相当部分には同一符号を付してその説明は繰り返さない。
【０１０１】
＜第２の実施の形態＞
本実施の形態は、第１の実施の形態に係る無線通信システムと比べてデータベースをローカル側にも追加した無線通信システムに関する。以下で説明する内容以外は第１の実施の形態に係る無線通信システムと同様である。
【０１０２】
図８は、本発明の第２の実施の形態に係る無線通信システムの構成を示す図である。
【０１０３】
図８を参照して、無線通信システム３０２は、管理装置１０１と、記憶装置１５１と、１または複数のゲートウェイ装置（情報配信装置）１１１と、１または複数の記憶装置１２１とを備える。なお、ゲートウェイ装置１１１は、記憶装置１２１を含む構成であってもよい。
【０１０４】
管理装置１０１は、ネットワーク２５１およびゲートウェイ装置１１１を介して複数の無線端末装置２０２と通信可能である。
【０１０５】
ゲートウェイ装置１１１は、たとえば無線ＬＡＮのアクセスポイントであり、管理装置１０１とネットワーク２５１を介して接続され、１または複数の無線端末装置２０２および管理装置１０１間の通信を中継する。ゲートウェイ装置１１１は、ネットワーク２５１と有線接続または無線接続されている。
【０１０６】
無線端末装置２０２は、ゲートウェイ装置１１１と無線信号を送受信することにより、ネットワーク２５１を介して管理装置１０１等の他の装置と通信可能である。
【０１０７】
記憶装置１２１は、ゲートウェイ装置１１１に接続され、行動情報のローカルデータベースを記憶する。
【０１０８】
ゲートウェイ装置１１１は、災害発生を示す災害情報を受信して、記憶装置１２１から行動情報を取得し、取得した行動情報を各無線端末装置２０２に報知する。
【０１０９】
図９は、本発明の第２の実施の形態に係る無線通信システムにおけるゲートウェイ装置の構成を示す図である。
【０１１０】
図９を参照して、ゲートウェイ装置１１１は、行動情報取得部２１と、行動情報配信部２２と、アクセス制御部２３とを含む。
【０１１１】
行動情報取得部２１は、災害発生を示す災害情報をたとえば管理装置１０１から受信して、記憶装置１２１から行動情報を取得する。
【０１１２】
たとえば、行動情報取得部２１は、記憶装置１２１に記憶された行動情報のうちの一部または全部を選択して取得する。具体的には、行動情報取得部２１は、災害情報を受信してからの経過時間に応じた行動情報を選択する。
【０１１３】
行動情報配信部２２は、行動情報取得部２１によって取得された行動情報を各無線端末装置２０２に報知する。
【０１１４】
アクセス制御部２３は、無線端末装置２０２からの自己を介した他の装置へのアクセス、たとえば記憶装置１２１へのアクセスを制限可能である。アクセス制御部２３は、行動情報配信部２２によって行動情報が報知された後、当該アクセスの制限を緩和する。
【０１１５】
［動作］
次に、本発明の第２の実施の形態に係る無線通信システムによる情報配信について図面を用いて説明する。
【０１１６】
無線通信システム３０２における各装置は、以下のフローチャートおよびシーケンスの各ステップを含むプログラムを図示しないメモリから読み出して実行する。このプログラムは、外部からインストールすることができる。
【０１１７】
図１０は、本発明の第２の実施の形態に係る管理装置が情報配信を行なう際の動作手順を定めたフローチャートである。
【０１１８】
図１０を参照して、まず、ゲートウェイ装置１１１は、災害情報を受信すると（ステップＳ４１でＹＥＳ）、記憶装置１２１のローカルデータベースから配信情報Ａを選択して取得する。配信情報Ａは、避難所の情報等、災害発生直後において必要性の高い行動情報である（ステップＳ４２）。
【０１１９】
次に、ゲートウェイ装置１１１は、取得した配信情報Ａを無線端末装置２０２へブロードキャストする（ステップＳ４３）。
【０１２０】
次に、ゲートウェイ装置１１１は、所定時間が経過すると（ステップＳ４４でＹＥＳ）、記憶装置１２１のローカルデータベースから配信情報Ｂを選択して取得する。配信情報Ｂは、交通情報および天気予報等、災害発生後しばらくしてから必要性の高くなる行動情報である（ステップＳ４５）。
【０１２１】
次に、ゲートウェイ装置１１１は、取得した配信情報Ｂを無線端末装置２０２へブロードキャストする（ステップＳ４６）。
【０１２２】
次に、ゲートウェイ装置１１１は、配信情報Ｂをブロードキャストした後、無線端末装置２０２による記憶装置１２１のローカルデータベースまたは自己を介した他の装置へのアクセスの制限を緩和または解除する（ステップＳ４７）。
【０１２３】
なお、ゲートウェイ装置１１１は、配信情報をブロードキャストする構成に限らず、マルチキャストする構成であってもよい。
【０１２４】
また、ゲートウェイ装置１１１は、管理装置１０１から災害情報を取得する構成に限らず、他の方法で災害情報を取得する構成であってもよい。
【０１２５】
図１１は、本発明の第２の実施の形態に係る無線通信システムにおける情報配信のシーケンスの一例を示す図である。
【０１２６】
たとえば、無線端末装置２０２は、ゲートウェイ装置１１１に行動情報の提供を要求する。
【０１２７】
ゲートウェイ装置１１１は、無線端末装置２０２の要求内容に対応する行動情報を記憶装置１２１から取得して無線端末装置２０２へ送信するか、または無線端末装置２０２の要求内容を管理装置１０１に通知する。
【０１２８】
管理装置１０１は、ゲートウェイ装置１１１から通知された要求内容に対応する行動情報を記憶装置１５１から取得し、取得した行動情報をゲートウェイ装置１１１へ送信する。
【０１２９】
ゲートウェイ装置１１１は、管理装置１０１から受信した行動情報を無線端末装置２０２へ送信する。
【０１３０】
具体的には、図１１を参照して、まず、図示しない災害検知装置は、災害発生を検知すると（ステップＳ２１）、災害情報を管理装置１０１へ送信する（ステップＳ２２）。
【０１３１】
次に、管理装置１０１は、災害検知装置から受信した災害情報をゲートウェイ装置１１１へ送信する（ステップＳ２３）。
【０１３２】
次に、ゲートウェイ装置１１１は、管理装置１０１から災害情報を受信して、配信情報Ａを無線端末装置２０２へブロードキャストする（ステップＳ２４）。
【０１３３】
次に、ゲートウェイ装置１１１は、所定時間が経過すると、配信情報Ｂを無線端末装置２０２へブロードキャストする（ステップＳ２５）。
【０１３４】
次に、無線端末装置２０２は、ある情報の配信を要求する旨を示す情報要求をゲートウェイ装置１１１へ送信する（ステップＳ２６）。
【０１３５】
次に、ゲートウェイ装置１１１は、無線端末装置２０２からのアクセスを許可しており、かつ無線端末装置２０２から要求された情報が記憶装置１２１のローカルデータベースに存在する場合、ローカルデータベースから当該情報要求に対応する配信情報Ｃを取得し、当該無線端末装置２０２へユニキャストする（ステップＳ２７）。
【０１３６】
次に、無線端末装置２０２は、情報の配信を要求する旨を示す情報要求をゲートウェイ装置１１１へ送信する（ステップＳ２８）。
【０１３７】
次に、ゲートウェイ装置１１１は、無線端末装置２０２からのアクセスを許可しており、かつ無線端末装置２０２から要求された情報が記憶装置１２１のローカルデータベースに存在しない場合、当該情報要求を管理装置１０１へ送信する（ステップＳ２９）。なお、ゲートウェイ装置１１１は、無線端末装置２０２から要求された情報がローカルデータベースに存在しても、当該情報の更新時期が古い場合、当該情報要求を管理装置１０１へ送信し、最新の情報を無線端末装置２０２に提供してもよい。
【０１３８】
次に、管理装置１０１は、ゲートウェイ装置１１１から情報要求を受信して、無線端末装置２０２から要求された情報が記憶装置１５１のデータベースに存在する場合、データベースから当該情報要求に対応する配信情報Ｄを取得してゲートウェイ装置１１１へ送信する（ステップＳ３０）。
【０１３９】
次に、ゲートウェイ装置１１１は、管理装置１０１から受信した配信情報Ｄを当該無線端末装置２０２へユニキャストする（ステップＳ３１）。
【０１４０】
このように、本発明の第２の実施の形態に係る無線通信システムでは、ゲートウェイ装置１１１は、管理装置１０１とネットワークを介して接続され、１または複数の無線端末装置２０２および管理装置１０１間の通信を中継する。記憶装置１２１は、ゲートウェイ装置１１１に接続され、災害発生時の行動に関する行動情報を記憶する。そして、ゲートウェイ装置１１１は、災害発生を示す災害情報を受信して、記憶装置１２１から行動情報を取得し、取得した行動情報を各無線端末装置２０２に報知する。
【０１４１】
また、本発明の第２の実施の形態に係るゲートウェイ装置では、行動情報取得部２１は、災害発生を示す災害情報を受信して、災害発生時の行動に関する行動情報を記憶する記憶装置１２１から行動情報を取得する。そして、行動情報配信部２２は、行動情報取得部２１によって取得された行動情報を各無線端末装置２０２に報知する。
【０１４２】
このように、ローカル側すなわちネットワーク２５１の手前に設けられたゲートウェイ装置１１１から無線端末装置２０２への情報配信を行なう構成により、災害発生直後における無線端末装置２０２によるネットワーク２５１へのアクセスをさらに抑制することができる。また、災害発生によりネットワーク２５１等において通信障害が発生した場合でも、ユーザに必要な情報を配信することができる。これにより、災害発生直後のネットワークの輻輳をさらに抑制しながら、各ユーザが、災害において適切な情報をより確実に取得することができ、災害発生時における情報伝達性能のより高い無線通信システムを提供することができる。
【０１４３】
また、本発明の第２の実施の形態に係る無線通信システムでは、無線端末装置２０２は、ゲートウェイ装置１１１に行動情報の提供を要求する。ゲートウェイ装置１１１は、記憶装置１２１から行動情報を取得して無線端末装置２０２へ送信するか、または無線端末装置２０２の要求内容を管理装置１０１に通知する。管理装置１０１は、ゲートウェイ装置１１１から通知された要求内容に対応する行動情報を記憶装置１５１から取得し、取得した行動情報をゲートウェイ装置１１１へ送信する。そして、ゲートウェイ装置１１１は、管理装置１０１から受信した行動情報を無線端末装置２０２へ送信する。
【０１４４】
このような構成により、無線端末装置２０２の要求する情報がローカルデータベースに保存されていない場合、またはローカルデータベースに保存されている情報が古い場合でも、無線端末装置２０２に適切な情報を配信することができる。
【０１４５】
その他の構成および動作は第１の実施の形態に係る無線通信システムと同様であるため、ここでは詳細な説明を繰り返さない。
【０１４６】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０１４７】
１１，２１  行動情報取得部
１２，２２  行動情報配信部
１３，２３  アクセス制御部
１０１  管理装置（情報配信装置）
１１１  ゲートウェイ装置（情報配信装置）
１２１，１５１  記憶装置
１６１  センサ
２０２  無線端末装置
２５１  ネットワーク
３０１，３０２  無線通信システム
【図１】
2014192887.tif 000003
【図２】
2014192887.tif 000004
【図３】
2014192887.tif 000005
【図４】
2014192887.tif 000006
【図５】
2014192887.tif 000007
【図６】
2014192887.tif 000008
【図７】
2014192887.tif 000009
【図８】
2014192887.tif 000010
【図９】
2014192887.tif 000011
【図１０】
2014192887.tif 000012
【図１１】
2014192887.tif 000013